(57)【特許請求の範囲】
【請求項１】
電気接続箱のケースの切欠部の周縁にガイド部が設けられ、該ガイド部にワイヤハーネス導出用の弾性のグロメットのフランジ部が嵌合され、該フランジ部の上から該ケースにカバーが装着されたグロメットによる防水構造において、該グロメットに止水膜が環状に形成され、該止水膜で該フランジ部と該ガイド部と該カバーとが覆われて、該フランジ部と該ガイド部と該カバーとの間が防水されたことを特徴とするグロメットによる防水構造。
【請求項２】
前記止水膜が径方向に延長され、その延長部が前記ケースとカバーとに係止されたことを特徴とする請求項１記載のグロメットによる防水構造。
【請求項３】
前記ケースやカバーに、前記止水膜の内側への水の浸入を防ぐ止水板が設けられたことを特徴とする請求項１記載のグロメットによる防水構造。
【請求項４】
前記ケースに段差部と該段差部の内側の凹部が設けられ、該凹部に前記グロメットと前記止水膜とが位置し、該止水膜の先端部が該段差部に接近したことを特徴とする請求項１記載のグロメットによる防水構造。
【請求項５】
パネルの孔部にワイヤハーネス導出用の弾性のグロメットを嵌合するグロメットによる防水構造において、該グロメットに止水膜が設けられ、該パネルに段差部と該段差部の内側の凹部が設けられ、該凹部に該孔部が設けられ、該止水膜で該グロメットと該孔部との嵌合部分が覆われ、該止水膜の先端部が該凹部に接し、且つ該段差部に接近して位置したことを特徴とするグロメットによる防水構造。
【発明の詳細な説明】
【０００１】
【発明の属する技術分野】
本発明は、電気接続箱や自動車等のパネルからワイヤハーネスを導出させるために防水用のグロメットを装着して電気接続箱内やパネル内への水の浸入を防止したグロメットによる防水構造に関するものである。
【０００２】
【従来の技術】
図９は、従来のグロメットによる防水構造の一形態として、電気接続箱における防水構造を示すものである。
電気接続箱は、合成樹脂製の接続箱本体であるケース７１とカバー７２と、ケース７１内に収容されるヒューズやリレー等を含む接続ユニット（図示せず）と、防水用の弾性のグロメット７３とを備えたものであり、ケース７１の一側壁にワイヤハーネス導出用の略Ｕ字状の切欠部７４と、切欠部７４の周縁から外側に突出したガイド部７５とを有し、ガイド部７５にグロメット７３をスライド式に嵌着し、接続ユニット（図示せず）に続くワイヤハーネス（複数本の電線）７６をグロメット７３内に挿通させて外部に導出させる。
【０００３】
グロメット７３は、蛇腹部７７と、蛇腹部７７の一方に続く小径な円筒部７８と、蛇腹部７７の他方に続くフランジ部７９と、フランジ部７９内に嵌着される合成樹脂製の補強部材（図示せず）とで構成され、フランジ部７９を前記ケース７１のガイド部７５にスライド嵌合させ、さらにケース７１の上部にカバー７２を被せて、フランジ部７９の上面をカバー７２の下面に密着させることで、フランジ部７９の外周からケース７１内への水の浸入が防止される。
【０００４】
また、カバー７２の内周縁には矩形環状のパッキン（図示せず）が設けられ、パッキンにケース７１の上端縁が密着することで、ケース７１とカバー７２の接合部からの水の浸入が防止される。グロメット７３の円筒部７８の先端は、ワイヤハーネス７６を挿通させた状態でビニルテープ（図示せず）で巻かれて止水される。
【０００５】
【発明が解決しようとする課題】
しかしながら、上記従来のグロメットによる防水構造にあっては、例えばトラック用等のように電気接続箱を外部に露出して装着する場合等において、車両走行中に跳ね上がった雨水や洗車時の高圧水等がグロメット７３のフランジ部７９を直撃する等した際に、高い水圧によってフランジ部７９とケース１及びカバー７２との間に水が浸入してしまうという問題を生じた。また、グロメット７３のフランジ部７９に対して側方や上方や下方から水が勢いよくかかった場合や、カバー７２の天壁から水が回り込んでフランジ部７９にかかった場合にも、同様に水が浸入してしまう懸念があった。ケース７１内に水が浸入した場合には、ケース内部の接続ユニット等に悪影響を与えてしまうという心配があった。
【０００６】
上記した問題は、電気接続箱に代えて自動車等のパネル（図示せず）の孔部にグロメットを挿入嵌合させた場合においても同様であり、高圧水や水の回り込み等によってグロメットからパネル内に水が浸入してしまうという心配があった。
【０００７】
本発明は、上記した点に鑑み、グロメットに正面から水が勢いよくかかったり、あるいはグロメットに側方や上方や下方から水が勢いよくかかったり、グロメットに対して水が上方から回り込む場合等においても、接続箱本体内やパネル内への水の浸入を確実に防止することのできるグロメットによる防水構造を提供することを目的とする。
【０００８】
【課題を解決するための手段】
上記目的を達成するために、本発明の請求項１に係るグロメットによる防水構造は、電気接続箱のケースの切欠部の周縁にガイド部が設けられ、該ガイド部にワイヤハーネス導出用の弾性のグロメットのフランジ部が嵌合され、該フランジ部の上から該ケースにカバーが装着されたグロメットによる防水構造において、該グロメットに止水膜が環状に形成され、該止水膜で該フランジ部と該ガイド部と該カバーとが覆われて、該フランジ部と該ガイド部と該カバーとの間が防水されたことを特徴とする。
上記構成により、弾性で且つ可撓性の止水膜が正面から水の直射を受けてグロメットとケース及びカバーとの嵌合部分に張り付いて密着し、嵌合部分への水の直射を阻止し、あるいは嵌合部分にかかる水の勢いを弱める。また、略環状の止水膜によって全周方向又は少なくとも上下左右の直交する四方向の嵌合部分がカバーされる。電気接続箱において上方向には接続箱本体としてのカバー、左右及び下方向には接続箱本体としてのケースが位置し、上側の止水膜でケースとカバーとの嵌合部分（グロメットも嵌合している）が覆われ、左右及び下側の止水膜でケースとグロメットとの嵌合部分が覆われる。これらにより、グロメットによる防水シール性が向上する。
【００１０】
本発明の請求項２に係るグロメットによる防水構造は、請求項１に係るグロメットによる防水構造において、前記止水膜が径方向に延長され、その延長部が前記ケースとカバーとに係止されたことを特徴とする。
上記構成により、止水膜のばたつきや捲れが防止され、正面からの水ばかりでなく、側面や上面や下面からの水が止水膜の延長部に当たって止められて、止水膜の内側への水の浸入が防止される。
【００１１】
本発明の請求項３に係るグロメットによる防水構造は、請求項１に係るグロメットによる防水構造において、前記ケースやカバーに、前記止水膜の内側への水の浸入を防ぐ止水板が設けられたことを特徴とする。
上記構成により、例えば止水膜の側方や上方といった止水膜板厚直交方向からの水の直射が止水板によって阻止され、あるいは水勢が弱められて、止水膜の内側への水の浸入が防止され、あるいは止水膜内側に浸入する水の勢いが弱められる。
【００１２】
本発明の請求項４に係るグロメットによる防水構造は、請求項１に係るグロメットによる防水構造において、前記ケースに段差部と該段差部の内側の凹部が設けられ、該凹部に前記グロメットと前記止水膜とが位置し、該止水膜の先端部が該段差部に接近したことを特徴とする。
上記構成により、グロメットの嵌合部分と止水膜の先端部分とが段差部の内側に収容保護され、外部からの水が段差部の外側のパネル面等に沿って止水膜に当たり、止水膜の先端部分への水の直射が防止される。
【００１３】
本発明の請求項５に係るグロメットによる防水構造は、パネルの孔部にワイヤハーネス導出用の弾性のグロメットを嵌合するグロメットによる防水構造において、該グロメットに止水膜が設けられ、該パネルに段差部と該段差部の内側の凹部が設けられ、該凹部に該孔部が設けられ、該止水膜で該グロメットと該孔部との嵌合部分が覆われ、該止水膜の先端部が該凹部に接し、且つ該段差部に接近して位置したことを特徴とする。
上記構成により、弾性で且つ可撓性の止水膜が正面から水の直射を受けてグロメットとパネルとの嵌合部分に張り付いて密着し、嵌合部分への水の直射を阻止し、あるいは嵌合部分にかかる水の勢いを弱める。また、グロメットの嵌合部分と止水膜の先端部分とが段差部の内側に収容保護され、外部からの水が段差部の外側のパネル面等に沿って止水膜に当たり、止水膜の先端部分への水の直射が防止される。
【００１４】
【発明の実施の形態】
以下に本発明の実施の形態を図面を用いて詳細に説明する。
図１〜図２は、本発明に係るグロメットによる防水構造の第一の実施形態として、電気接続箱における防水構造を示すものである。
【００１５】
このグロメットによる防水構造は、電気接続箱１の合成樹脂製のケース２のガイド部５に嵌合させる合成ゴム製等の弾性のグロメット４のフランジ部６に略襟巻き状の薄い弾性の止水膜７，７’又は７”を一体に設け、この止水膜７，７’又は７”でフランジ部６とケース２のガイド部５との嵌合部分及びフランジ部６と合成樹脂製の上側のカバー３との嵌合部分を外側から覆って、各嵌合部分への水の直射を防いだことを第一の特徴とするものである。
【００１６】
また、ケース２のガイド部５の両側と下側においてケース２の前側の壁部８にリブ状の止水板９，９’を設けることで、フランジ部６とガイド部５との嵌合部分あるいは前記止水膜７，７’又は７”に側方から水が直射することを防ぐと共に、ガイド部５寄りにおいてカバー３の天壁１０にリブ状の止水板１１を設けることで、カバー３からフランジ部６とガイド部５との嵌合部分や止水膜７，７’又は７”の内側に水が回り込んでかかることを防いだことを第二の特徴としている。
【００１７】
これら止水膜７，７’，７”や止水板９，９’，１１は単独で用いてもよく、あるいは図１のように複合して用いてもよい。特に複合して用いることで、止水膜７，７’，７”の側方や上方からの水の跳ねかかり等に対して極めて有効となる。
【００１８】
図１の如く、グロメット４は蛇腹部１２と、蛇腹部１２の前方に続く筒状部１３と、蛇腹部１３の後方に膨出部１４を介して続く前記フランジ部６とを備え、膨出部１４の両側と上側と下側すなわち全周においてフランジ部６の前面から止水膜７，７’が外向きにすなわちフランジ部６の幅方向及び高さ方向に略襟巻き状（略環状）に突出形成されることが好ましい。止水膜７，７’はフランジ部６の周縁を覆うようにフランジ部６の周縁を越えて外向きに突出されている。止水膜７は鎖線７”の如く全周に渡って均一に略長円形状（略環状）に形成されていてもよく、この場合は上向きの止水膜７’は不要である。
【００１９】
本形態ではフランジ部６の表面に止水膜７，７’又は７”を形成しているが、フランジ部６の表面に代えて膨出部１４に止水膜７，７’又は７”を一体に形成することも可能である。膨出部１４は蛇腹部１２とほぼ同じ板厚で形成され、蛇腹部１２をケース２のガイド部５から前方に突出させるための部分であり、蛇腹部１２の一部と見ることもできる。止水膜７，７’又は７”は成形金型を用いたグロメット４のゴム成形時に同時に形成することができる。止水膜７，７’又は７”をグロメット４とは別体に形成してグロメット４に接着する等して組み付けることも可能である。
【００２０】
図１の如く止水膜７，７’又は７”はケース２の前壁８に向かって断面略円弧状に湾曲していることが好ましく、それにより止水膜７，７’又は７”の先端７ａ，７ａ’がケース２の壁面８に密着して高い止水性を発揮する。
【００２１】
フランジ部６は蛇腹部１２の内部空間に続くワイヤハーネス挿通孔（図示せず）を有している。フランジ部６の外周は略Ｕ字状の部分１５と上側の水平方向の真直な部分１６とで成り、これら外周にリップ（符号１５，１６で代用する）が環状に突出形成されている。
【００２２】
ケース２の前壁８には略Ｕ字状の切欠部１７が設けられ、切欠部１７の周縁に、フランジ部６に対するスライド係合用の前記ガイド部５が突出形成されている。略Ｕ字状で且つ断面略Ｌ字状のガイド壁１８とケース２の周壁（前壁）８とで断面コの字状のガイド溝１９が形成されている。ガイド溝１９にグロメット４のフランジ部６が上方から挿入されることで、ガイド溝１９の内面にフランジ部６のリップ１５が密着する。この構成は従来と同様である。
【００２３】
なお、本明細書では説明の便宜上、グロメット４側を前、カバー３側を上と定義しているが、これは必ずしも車両実装時の方向と一致するものではない。前壁８や天壁１０は単に壁部と表現することもできる。また、フランジ部６とガイド部５をそれぞれ二段に形成して防水性を向上させたグロメット（別出願で提案する）に本発明の止水膜７，７’，７”や止水板９，９’，１１の構成を付加することも有効である。
【００２４】
ガイド部５の両側においてケース２の前壁８に略Ｕ字状の前記止水板９，９’が突設されている。両側の止水板９，９は垂直方向（上下方向）に真直に延び、下側の止水板９’は湾曲して両側の止水板９，９に続いている。下側の止水板９’は前壁８の下側に少し突出していてもよく、この場合は、止水板９’と前壁８との間に水抜き孔が構成される。止水板９，９’はガイド部５の近傍で且つ前記止水膜７に干渉しない程度の位置すなわち止水膜７の先端７ａの近傍に配置されることが好ましい。止水板９，９’の前方への突出高さはガイド部５の突出高さよりも高く、また止水板９の上下方向長さはガイド部５の長さに可能な限り近いことがそれぞれ止水性の観点から好ましい。
【００２５】
なお、車両への取付状態に応じて水のかからない側には止水板９を配設する必要がない訳であるから、一対の止水板９，９の何れか一方のみを形成する場合や、下側の止水板９’を省略することもあり得る。また、下側の止水板（９’）を両側の止水板９に続けて又は独立して水平に形成することも可能である。また、ケース２の周壁２０を二重として内周壁（図示せず）を外周壁２０よりも高く形成したもの（既存の技術である）において上記止水板９，９’を適用することも可能である。
【００２６】
ケース２の周壁８の上部には縁部２１が突出形成され、縁部２１と一体に前壁８に、カバー３に対する係止手段である係止爪２２が設けられている。カバー３は合成樹脂で形成され、ケース２と共に接続箱本体を構成する。カバー３の前壁２３の両側に係止手段であるロック金具支持部２４が設けられている（ロック金具は不図示である）。
【００２７】
一対のロック金具支持部２４，２４の間に、前記グロメット４のフランジ部６の上側部分２５を嵌合させる段部２６が形成されている。段部２６の内側にフランジ部６の上側部分２５が挿入され、上側部分２５のリップ１６が段部２６の上壁内面に密着する。例えばカバー３の周壁２７に沿って内側には矩形環状のパッキン（図示せず）が設けられ、パッキンにケース２の周壁２０の上端が密着する。
【００２８】
カバー３の段部２６寄りにおいてカバー３の天壁１０に前記止水板１１が立設されている。止水板１１は天壁１０の全幅に渡って形成され、前壁２３と平行に配置されている。止水板１１の長さは前記グロメット４の止水膜７の全幅すなわち止水膜７の一側端から他側端までの距離よりも広く設定され、これにより、止水膜７内への水の回り込みが防止される。
【００２９】
止水板１１の形状は湾曲状等任意に変更可能である。止水板１１の高さは、後方からの水が止水板に当たって跳ね返され、あるいは少なくとも水勢が弱められて、グロメット４のフランジ部６やケース２のガイド部５（止水膜７，７’，７”を用いない場合）や、グロメット４の止水膜７，７’，７”に勢いよくかからない程度の高さに設定される。
【００３０】
図２の如くグロメット４をケース２に嵌着し、カバー３をケース２に被着する。この状態で、グロメット４の止水膜７，７’又は７”がケース２のガイド部５とカバー３の段部２６を前側（正面側）から覆って、ガイド部５内と段部２６内のフランジ部６への水の直射を防止する。すなわち、電気接続箱１に正面（矢印Ｘ方向）から水が勢いよくかかった場合、水は止水膜７，７’又は７”に当たり、止水膜７，７’又は７”は撓んでケース２の前壁８とカバー３の段部２６の表面とに密着して、ガイド部５と段部２６すなわちグロメット４の嵌合部分への水の直射を阻止する。これにより、フランジ部６とガイド部５との密着部やフランジ部６と段部２６との密着部への水の浸入が阻止され、接続箱本体内（ケース２内）への水の浸入が確実に阻止される。
【００３１】
また、電気接続箱１に側方（矢印Ｙ方向）から水がかかった場合には、左右両側ないし何れか一方の止水板９に水が直射されて跳ね返され、あるいは少なくともケース２のガイド部５やグロメット４のフランジ部６（止水膜７，７’，７”を用いない場合）や、止水膜７，７’又は７”への水の直射が防止され、同様にケース２内への水の浸入が防止される。特に止水膜７，７’又は７”を用いた場合には、止水板９で水が跳ね返され、あるいは水勢が弱められて、止水膜７の先端（自由端）７ａとケース２の前壁８との間から止水膜７の内側に水が勢いよく浸入することが防止され、防水性が向上する。下方向から水がかかった場合も止水板９’によって同様の作用効果が奏される。
【００３２】
また、電気接続箱１に上方（矢印Ｚ方向）から水がかかったり、後方（矢印Ｘ’方向）からカバー３に水が跳ねかかったりした場合には、カバー３の止水板１１で水が跳ね返され、あるいは少なくとも水勢が弱められて、ガイド部５やフランジ部６（止水膜７，７’，７”のない場合）や、止水膜７，７’，７”の内側に水が勢いよくかかることが防止されるから、防水性が向上する。
【００３３】
図３は、本発明に係るグロメットによる防水構造の第二の実施形態を示すものである。なお、前記実施形態と同一の構成部分には同一の符号を付して説明を省略する。
【００３４】
この電気接続箱３１の防水構造は、前記第一の実施形態の弾性のグロメット３２の止水膜３３を径方向に延長させて止水膜３３の径方向先端部を接続箱本体であるケース３４とカバー３５とに係止したことを特徴とするものである。前記実施形態の止水板９，９’，１１は使用していない。
【００３５】
止水膜３３は上下及び左右の四方向に延長されて、引っ張られた状態でケース３４とカバー３５とに係止されている。左右の延長部３６，３６はケース３４の両側壁３７まで長く延び、両側壁３７の前端側に設けられた係止爪３８に延長部先端の係止孔３９が係合されている。係止爪３８は断面略Ｌ字状に形成され、後向きの爪部（符号３８で代用）を有している。係止爪３８の形状は適宜変更可能である。
【００３６】
止水膜３３の上側の延長部４０はカバー３５の段部２６まで短く延び、段部２６の上面に設けられた係止突起４１ないし係止爪に延長部４０の先端側の係止孔４２を係合されている。止水膜３３の下側の延長部４３はケース３４のガイド部５の下側において前壁８の下部まで短く延び、前壁８に設けられた係止爪４４に延長部４３の先端側の係止孔４５を係合されている。下側の延長部４３をケース３４の底壁において係止爪（図示せず）に係止させることも可能である。
【００３７】
四方の延長部３６，３６，４０，４３の中央に略環状の止水膜主体部（止水膜中央部）４６が位置している。止水膜主体部４６は前記実施形態と同様にケース３４のガイド部５やカバー３５の段部２６、すなわちグロメット３２のフランジ部６（図１参照）との嵌合部分を完全に覆い隠すことが好ましい。
【００３８】
止水膜３３の左右と下側の係止孔３９，４５をケース３４の各係止爪３８，４４に係合させた（引っ掛けた）後、カバー３５を閉止して、止水膜３３の上側の係止孔４２をカバー３５の係止突起４１に係合させる。カバー３５を開く際は、カバー３５の係止突起４１から止水膜３３の上側の係止孔４２を外すことで、容易にカバー３５を開くことができる。係止爪ではなく、係止突起４１を用いたのはこの理由による。
【００３９】
なお、止水膜３３の両側の延長部３６，３６を短く形成して、カバー３５の段部４０におけるように、例えばケース３４のガイド部５の外周面に設けた係止爪（図示せず）にその短い延長部（図示せず）の係止孔を係合させることも可能である。この場合、スペース的に前記実施形態と同様の止水板９，９を設けることは可能である。また、止水膜３２と接続箱本体３４，３５との係止手段は適宜可能であり、例えば止水膜の延長部３６，４０，４３に係止突部（図示せず）を設け、接続箱本体に、係止突部を嵌合させる係止凹部（図示せず）を設けることも可能である。
【００４０】
上記第二の実施形態によれば、止水膜３３がケース３４とカバー３５に係止されることで、止水膜３３のばたつきや捲れが防止され、特に側方や上方や下方から止水膜３３に水がかかった場合における止水性が向上する。すなわち、例えば側方から止水膜３３に水が直射した場合でも、止水膜３３が捲れたりせず、且つ止水膜３３の径方向先端部４７とケース３４の前壁８との間に隙間を生じないから、止水膜３３の内側に水が浸入することがなく、これらにより、ケース３４のガイド部５やカバー３５の段部４０といったグロメット３２のフランジ部６との嵌合部分に水が直射されることが確実に防止される。
【００４１】
従って、第一の実施形態のような止水板９，９’は不要となる。このことは、止水膜３３の上側の延長部４０とカバー３の止水板１１との関係や下側の延長部４３についても同様である。
【００４２】
なお、上記した各実施形態においては、グロメット４のフランジ部６をケース２のガイド部５にスライド嵌合させる構造を採用しているが、本発明における止水膜７，７’，７”，３３や止水板９，１１は必ずしも上記構造に限らず、例えばグロメットを接続箱本体の孔部に嵌合させる構造（図示せず）にも適用できるものである。これについては後で詳しく説明する。
【００４３】
図４〜図６は図３の実施形態におけるグロメットの他の実施形態を示すものである。図４は図５の矢視Ａ後面図、図５は側面図、図６は図４の矢視Ｂ断面図である。
【００４４】
図４の如くグロメット４８の止水膜４９の延長部５０〜５３はフランジ部５４の外周から上下左右の四方向に矩形状に突出している。各延長部５０〜５３の突出方向中間部に水平又は垂直方向のスリット状の係止孔５５が設けられている。本形態の左右の延長部５２，５３は比較的短く突出され、接続箱本体（図３参照）の前壁に突設した係止爪（図示せず）に対応している。各係止孔５５は各延長部５０〜５３の幅よりも少し短い程度の長さに形成されている。各延長部５０〜５３はフランジ部５４の中央部分とその近傍を覆う環状の止水膜主体部（止水膜中央部）５６に十字に交差している。フランジ部５４の下半部の幅が上半部に較べて少し狭くなっているのは、ケースのガイド部（図１の符号５参照）にフランジ部５４を挿入しやすくするためである。
【００４５】
図５，図６の如く、止水膜４９はフランジ部５４の少し前側において蛇腹部５７の基部側の膨出部５８の傾斜状の外周壁（符号５８で代用）から外向きにフランジ部５４と平行に平板状に突出している。各延長部５０〜５３を接続箱本体に係止させるから、止水膜４９は図１の実施形態のように湾曲している必要はない。止水膜４９の板厚は膨出部５８の板厚と同じ程度である。グロメット４８をゴム材で金型成形する際に、前側の金型と後側の金型（図示せず）との間に止水膜形成用の幅広で且つ浅い凹部を設けておくことで、止水膜４９を簡単に形成することができる。各延長部５０〜５３の先端縁には突条５９が形成され、延長部５０〜５３を作業者が手指で引っ張って延ばす作業を容易に行えると共に、延長部５０〜５３の強度が高められて、破れ等が防止される。
【００４６】
本形態のグロメット４８のフランジ部５４は少なくとも二段に形成されており、接続箱本体のガイド部（図示せず）にフランジ部５４を嵌合させた際に、フランジ部５４とガイド部との嵌合部分の防水シール性が高められる。これについては別出願で詳細に提案する。本実施形態においては止水膜４９と二段フランジ５４との相乗効果で、高圧水に対する防水シール性が格段に高められる。
【００４７】
図７（ａ）（ｂ）は、本発明に係るグロメットによる防水構造の第三の実施形態として、電気接続箱又は車両等のパネルの孔部に防水用のグロメットをスライド嵌合ではなく挿入嵌合させた構造を示すものである。
【００４８】
図７で、符号６０は合成樹脂製の接続箱本体又は金属製のパネル、符号６１は弾性のグロメットをそれぞれ示す。グロメット６１の大径部６５に形成した周溝が接続箱本体６０の壁部６９又はパネルの孔部６３に嵌合し、大径部６５はテーパ状の部分を経て小径部（筒状部）６４に続き、小径部とテーパ状の部分との間に止水膜６２が一体に突出形成されている。
【００４９】
止水膜６２は少し湾曲して略傘状にテーパ状の部分と大径部６５とを覆い、止水膜６２の先端が接続箱本体６０の壁部６９又はパネルの表面に隙間なく密着している。止水膜６２は弾性的に接続箱本体６０又はパネルに押接されている。グロメット６１にはワイヤハーネス挿通孔が形成されている。ワイヤハーネス（図示せず）をグロメット６１に挿通した状態でグロメット６１が接続箱本体６０又はパネルに嵌合固定される。なお、止水膜６２の形成位置はテーパ状の部分であっても構わない。
【００５０】
グロメット６１に正面すなわち小径部６４側から水が勢い良くかかった際に、止水膜６２が潰れてグロメット６１のテーパ状の部分と大径部６５と壁部６９とに密着し、孔部６３と大径部６５との嵌合部分を完全に覆って、嵌合部分への水の直射を防止する。
【００５１】
グロメット６１の上下左右方向からの水の直射に対しては、例えば図３の実施形態のように止水膜６２を係止手段（図示せず）で接続箱本体６０又はパネルに係止させたり、あるいは図２の実施形態にように止水板（図示せず）を接続箱本体６０又はパネルに突設することで対処できる。
【００５２】
図８は、本発明に係るグロメットによる防水構造の第四の実施形態として、電気接続箱又は車両等のパネル６６の孔部に防水用のグロメット６１を挿入嵌合させた構造において、グロメット６１の止水膜６２の外側位置で、接続箱本体又はパネル６６に段差部６７を設けて、段差部６７で止水板の作用をさせた構造を示すものである。
【００５３】
グロメット６１の構成は図７の実施形態と同様であり、止水膜６２の先端は接続箱本体又はパネル６６の壁部６８に密着し、止水膜６２の先端の外側に近接して段差部６７が位置し、止水膜６２の先端側の部分が段差部６７の内側の凹部内に進入して保護されている。
【００５４】
グロメット６１に対して正面から水がかけられた場合は、図７と同様に止水膜６２が潰れて壁部６８等に密着するが、上下ないし左右から水がかけられた場合には、接続箱本体又はパネル６６の外面に沿って水が止水膜６２の長手方向中間部に当たり、止水膜６２の先端に水が直射されることはない。それにより、止水膜内側への水の浸入が防止され、たとえ浸入しても、グロメット６１の大径部で確実にシールできる圧力まで水圧が弱められる。なお、図８の構造に止水板（図示せず）を付加すれば、より一層止水性が向上する。また、段差部６７は、止水膜６２を有しないグロメットに対しても有効である。
【００５５】
【発明の効果】
以上の如く、請求項１記載の発明によれば、止水膜が特に正面から水の直射を受けた場合にグロメットとケース及びカバーとの嵌合部分に張り付いて密着し、嵌合部分への水の直射を阻止すると共に、水勢（水圧）を弱めるから、グロメットによる防水シール性が高まり、強い水勢によってもケースやカバー内への水の浸入が確実に防止される。これにより、ケース内の接続ユニットやパネル内の機器等が水の害から確実に保護されると共に、グロメットの嵌合部分の形状を簡素化しても防水性を確保でき、部品コストの低減等が図られる。また、略環状の止水膜によって少なくとも上下左右又は全周方向のグロメット嵌合部分がカバーされるから、例えば左右方向のみに止水膜を配置した場合に較べて止水性が格段に向上する。
【００５７】
請求項２記載の発明によれば、止水膜が係止されることで、止水膜のばたつきや捲れが防止され、グロメットの正面からの水ばかりでなく、側面や上面や下面からの水が止水膜の延長部に当たって止められて、止水膜の内側への水の浸入が防止されるから、グロメットによる防水シール性が確実に発揮される。また、後述の止水板を用いなくても止水性すなわち水を受け止めて水勢を弱める機能が確保されるから、止水板を用いる場合に較べて、コストが低減されると共に、電気接続箱等の構造が小型化される。
【００５８】
請求項３記載の発明によれば、止水板に水が直射されることで、止水膜の側方や上方や下方といった止水膜板厚直交方向からの水の直射が止水板によって阻止され、あるいは止水板で水勢（水圧）が弱められ、止水膜の内側への水の浸入が防止され、あるいは止水膜内側へ浸入する水の勢いが弱められるから、グロメットの正面方向のみならず、側方や上方や下方等からの止水性が向上し、グロメットによる防水シール性が確実に発揮される。
【００５９】
請求項４記載の発明によれば、グロメットの嵌合部分と止水膜の先端部分とが段差部の内側に収容保護され、外部からの水が段差部の外側のパネル面等に沿って止水膜に当たり、止水膜の先端部分への水の直射が防止されるから、止水膜の内側への水の浸入が防止され、グロメットによる防水性が確保される。
【００６０】
請求項５記載の発明によれば、グロメットの嵌合部分と止水膜の先端部分とが段差部の内側に収容保護され、外部からの水が段差部の外側のパネル面等に沿って止水膜に当たり、止水膜の先端部分への水の直射が防止されるから、止水膜の内側への水の浸入が防止され、グロメットによる防水性が確保される。
【図面の簡単な説明】
【図１】本発明に係るグロメットによる防水構造の第一の実施形態を示す分解斜視図である。
【図２】同じくケースにグロメットを装着し、カバーを閉止した組付状態を示す斜視図である。
【図３】本発明に係るグロメットによる防水構造の第二の実施形態を示す斜視図である。
【図４】グロメットの一実施形態を示す後面図（図５の矢視Ａ図）である。
【図５】同じくグロメットを示す側面図である。
【図６】同じくグロメットを示す図４のＢ−Ｂ断面図である。
【図７】本発明に係るグロメットによる防水構造の第三の実施形態を示し、（ａ）は正面図、（ｂ）は（ａ）のＣ−Ｃ断面図である。
【図８】本発明に係るグロメットによる防水構造の第四の実施形態を示す断面図である。
【図９】従来のグロメットによる防水構造の一形態を示す分解斜視図である。
【符号の説明】
１，３１                        電気接続箱
２，３４                        ケース（接続箱本体）
３，３５                        カバー（接続箱本体）
４，３２，４８，６１            グロメット
７，７’，７”，３３，４９，６２  止水膜
９，９’，１１                  止水板
３６，４０，４３，５０〜５３    延長部
３９，４２，４５，５０          係止孔（係止手段）
４１，３８，４４                係止爪（係止手段）
６０，６６                      接続箱本体又はパネル
６７                            段差部
【図１】
0003936555.tif 000002
【図２】
0003936555.tif 000003
【図３】
0003936555.tif 000004
【図４】
0003936555.tif 000005
【図５】
0003936555.tif 000006
【図６】
0003936555.tif 000007
【図７】
0003936555.tif 000008
【図８】
0003936555.tif 000009
【図９】
0003936555.tif 000010